(57)【要約】【課題】安全で、楽しく、知育遊びにもなる組み立て玩具を提供すること。【解決手段】一直線に配置可能の貫通孔２１、２２、２３、２４、２５、２６、２７それぞれに形成される複数構成部材１１、１２、１３、１４、１５、１６、１７、１８、貫通孔２１、２２、２３、２４、２５、２６、２７に挿通可能の棒状体１９ｅを保持する支持部材１９と、を有し、棒状体１９ｅの軸中心の回動により各部材を係止するロック機構を有して玩具本体を組み立てる。【選択図】図１
2012147951.tif 000002
【特許請求の範囲】
【請求項１】
一直線に配置可能な貫通孔がそれぞれに形成される複数の構成部材と、
前記貫通孔に挿通可能の棒状体を保持する支持部材と、を有し、
前記棒状体の軸中心の回動により前記各構成部材を係止するロック機構を有する組み立て玩具。
【請求項２】
請求項１において、
前記ロック機構が、前記棒状体に保持され前記貫通孔と同じ断面形状且つ挿通可能のロック部を有し、前記棒状体の回動により前記ロック部形状を前記貫通孔からずらすことで、前記支持部材と前記ロック部との間に予め決められた構成部材を係止する組み立て玩具。
【請求項３】
請求項２において、
前記係止時に前記ロック部と接触する前記構成部材の貫通孔縁部に、前記ロック部のずらし位置を保持する規制突起が配置される組み立て玩具。
【請求項４】
請求項３において、
前記ロック部が前記規制突起を受容する規制凹部を備える組み立て玩具。
【請求項５】
請求項１乃至請求項４のいずれか一項において、
隣り合う前記構成部材が互いに相対すべき位置で噛み合わせ可能の位置決め凹凸部を備える組み立て玩具。
【請求項６】
請求項１乃至請求項５のいずれか一項において、
前記構成部材又は前記支持部材の少なくとも一方に、着脱可能に保持される補助構成部材を備える組み立て玩具。
【請求項７】
請求項１乃至請求項６のいずれか一項において、
前記構成部材及び支持部材が人形を構成しており、前記支持部材が頭部分であって、顔の構成に対応して分割可能である組み立て玩具。
【発明の詳細な説明】
【技術分野】
【０００１】
本発明は、組み立て玩具に関する。
【背景技術】
【０００２】
従来、知育を一つの目的とした玩具として多種が提案されている。その中で、特許文献１では、基板に立設された補助棒に対して、中心部に補助棒貫通孔を備えた大きさの異なる複数のブロックを適用する積木玩具を提供している。そして、補助棒に挿通させながらブロックを重ね、加減乗除を体積や高さで実感させることを提案している。
【先行技術文献】
【特許文献】
【０００３】
【特許文献１】実開平７−３７２９６号公報
【発明の概要】
【発明が解決しようとする課題】
【０００４】
ところで、特許文献１において、ブロック自体は二等辺三角形の三角柱を基本とした積木であり、特に幼児においては、好奇心を掻き立てるものではなく、楽しく遊ぶという観点からは、明らかにずれがあるという問題があった。
【０００５】
従って、本発明は、幼児にとっても興味を引き、安全で、楽しく、知育遊びにもなる組み立て玩具を提供することを目的とする。
【課題を解決するための手段】
【０００６】
本発明の組み立て玩具は、一直線に配置可能な貫通孔がそれぞれに形成される複数の構成部材と、貫通孔に挿通可能の棒状体を保持する支持部材とを有し、棒状体の軸中心の回動により各構成部材を係止するロック機構を有する構成である。
【０００７】
本発明の組み立て玩具において、ロック機構が、棒状体に保持され貫通孔と同じ断面形状且つ挿通可能のロック部を有し、棒状体の回動によりロック部形状を貫通孔からずらすことで、支持部材とロック部との間に予め決められた構成部材を係止する構成であることが好ましい。
【０００８】
本発明の組み立て玩具において、係止時にロック部と接触する構成部材の貫通孔縁部に、ロック部のずらし位置を保持する規制突起が配置される構成であることが好ましい。
【０００９】
本発明の組み立て玩具において、ロック部が規制突起を受容する規制凹部を備える構成であることが好ましい。
【００１０】
本発明の組み立て玩具において、隣り合う構成部材が互いに相対すべき位置で噛み合わせ可能の位置決め凹凸部を備える構成であることが好ましい。
【００１１】
本発明の組み立て玩具において、構成部材又は前記支持部材の少なくとも一方に、着脱可能に保持される補助構成部材を備える構成であることが好ましい。
【００１２】
本発明の組み立て玩具において、構成部材及び支持部材が人形を構成しており、支持部材が頭部分であって、顔の構成に対応して分割可能である構成であることが好ましい。
【発明の効果】
【００１３】
本発明によれば、貫通孔を備えた複数の構成部材を重ね、棒状体を挿通して各構成部材をロック可能であることで、安全で、楽しく、知育遊びにもなる組み立て玩具を提供することが可能となる。
【図面の簡単な説明】
【００１４】
【図１】（ａ）本発明に係わる組み立て玩具の分解斜視図、（ｂ）本発明に係わる組み立て玩具の頭部の分解斜視図である。
【図２】（ａ１）図1の棒状体挿通前の斜視図、（ａ２）図1の棒状体挿通前の玩具下面の斜視図、（ｂ１）図1の棒状体挿通状態の斜視図、（ｂ２）図1の棒状体挿通状態の玩具下面の斜視図、（ｃ１）図1の棒状体回転によるロック状態の斜視図、（ｃ２）図1の棒状体回転によるロック状態の下面の斜視図である。
【図３】(ａ)本発明に係わる組み立て玩具の他の実施形態を示す斜視図、（ｂ）図３（ａ）の玩具を逆さまにした分解斜視図、（ｃ）図３（ｂ）の玩具の棒状体を含む部分の分解斜視図である。
【発明を実施するための最良の形態】
【００１５】
以下、本発明に係わる組み立て玩具の好ましい実施形態について、図面を参照しながら説明する。図１（ａ）は本発明に係わる組み立て玩具の分解斜視図、図１（ｂ）は本発明に係わる組み立て玩具の頭部の分解斜視図である。
【００１６】
本実施形態の組み立て玩具本体１０(本実施形態では人形)は複数の構成部材(脚部１１、腰部１２、ベルト部１３、腹部１４、マーク表示部１５、腕部１６、肩部１７、マント部１８)及び頭部(支持部材)１９から構成されている。
【００１７】
構成部材(脚部１１、腰部１２、ベルト部１３、腹部１４、マーク表示部１５、腕部１６、肩部１７、マント部１８)のそれぞれは、胴体部分２０を基本的には輪切りにしたような形態で分割している。そして、マント部１８を除く各構成部材(脚部１１、腰部１２、ベルト部１３、腹部１４、マーク表示部１５、腕部１６、肩部１７)にはそれぞれ、同形状の貫通孔２１、２２、２３、２４、２５、２６、２７が一直線に並ぶように設けられている。この貫通孔２１、２２、２３、２４、２５、２６、２７の本実施形態の形状は、一般的に表現される鍵穴形状である。
【００１８】
本実施形態の組み立て玩具本体１０では、構成部材(脚部１１、腰部１２、ベルト部１３、腹部１４、マーク表示部１５、腕部１６、肩部１７)の隣り合う構成部材同士で、互いに相対すべき位置で噛み合わせ可能の位置決め凹凸部を備えている。つまり、脚部１１には凹部３１が備えられ、腰部１２に備えられた凸部３２ａが嵌り込むことで、位置決めが実施される。この関係は、腰部１２の凹部３２ｂとベルト部１３の３３ａ、ベルト部１３の３３ｂと腹部１４の凸部３４ａ、腹部１４の凹部３４ｂとマーク表示部１５のマーク部３５、マーク表示部１５のマーク部３５と肩部１７の凹部３７ａ、腕部１６の腕保持バー３６と肩部１７の凹部３７ｂ、それぞれの位置決め関係に採用されている。
【００１９】
隣り合う構成部材同士の位置決め用の凹凸部は容易な位置決めには有用ではあるが、これらを設けなくとも、組み立ては可能であり、その場合、より難しいパズルの要素が含まれることとなる。
【００２０】
頭部(支持部材)１９には、棒状体１９ｅが備えられ、棒状体１９ｅの先端にはロック部１９ｆが保持されている。ロック部１９ｆの棒状体１９ｅ軸方向断面は貫通孔２１、２２、２３、２４、２５、２６、２７と同形状且つ挿通可能に設定されている。棒状体１９ｅの断面は一般の円柱形状であり、ロック部１９ｆは鍵穴形状であるので、棒状体１９ｅの断面形状からのはみ出し部分が存在する。このロック部１９ｆのはみ出し部分から頭部(支持部材)１９と棒状体１９ｅとの境界辺までの距離（棒状体１９ｅの長手方向）は、胴体部分２０の肩部１７上面から脚部１１の下面貫通孔２１の縁までの距離と同じに設定されている。
【００２１】
図１（ｂ）に示すように、本発明に係わる組み立て玩具本体１０の頭部（支持部材）１９は分解可能である。これは、顔の構成に対応しており、顔表面部１９ａ、鼻部１９ｂ、眼口眉部１９ｃ、後頭部１９ｄに分かれている。棒状体１９ｅは顔表面部１９ａの下部に固定配置されている。
【００２２】
図２は本実施形態の組み立て玩具本体１０のロック機構作用を説明するための斜視図であり、（ａ１）は図1の棒状体１９ｅ挿通前の斜視図、（ａ２）は図1の棒状体１９ｅ挿通前の玩具下面の斜視図、（ｂ１）は図1の棒状体１９ｅ挿通状態の斜視図、（ｂ２）は図1の棒状体１９ｅ挿通状態の玩具下面の斜視図、（ｃ１）は図1の棒状体１９ｅ回転によるロック状態の斜視図、（ｃ２）は図1の棒状体１９ｅ回転によるロック状態の下面の斜視図である。
【００２３】
図２（ａ１）で示すように、ロック部１９ｆが肩部１７の貫通孔２７に挿入できるように、頭部(支持部材)１９は胴体部分２０に対して略９０度横向きの位置となり、棒状体１９ｅが図の矢印方向へ挿通される。この横向き角度は、貫通孔の配置に対するロック部１９ｆと頭部(支持部材)１９と角度設定により決定するので、略９０度は本実施形態の例であり、多くの設定が可能である。また、この時、貫通孔２１、２２、２３、２４、２５、２６、２７が一直線に並ぶよう、胴体部分２０が組み上げられている。勿論、図２（ａ２）で示すように、脚部１１の貫通孔２１も肩部１７の貫通孔２７と同じ向きとなっている。
【００２４】
図２（ｂ１）で示すように、頭部(支持部材)１９が肩部１７まで到達するとき、また、胴体部分２０の組み立てが完全であれば、ロック部１９ｆが脚部１１の貫通孔２１の下面まで貫通、突出する（図２（ｂ２）に図示）。この時、前述のように、ロック部１９ｆのはみ出し部分から頭部(支持部材)１９と棒状体１９ｅとの境界辺までの距離（棒状体１９ｅの長手方向）は、胴体部分２０の肩部１７上面から脚部１１の下面貫通孔２１の縁までの距離と同じに設定されているので、ロック部１９ｆが完全に貫通する。それにより、ロック部１９ｆが脚部１１と干渉しなくなり、棒状体１９ｅの長手方向を軸として回動可能となる。
【００２５】
図２（ｃ１）で示すように、回動可能となった頭部(支持部材)１９が胴体部分２０に対して正面を向くように、矢印方向に回動される。すると、図２（ｃ２）に図示するように、ロック部１９ｆは脚部１１の貫通孔２１形状位置を外れることとなり、ロック機構が作動状態となり、棒状体１９ｅは簡単には抜けなくなる。つまり、構成部材(脚部１１、腰部１２、ベルト部１３、腹部１４、マーク表示部１５、腕部１６、肩部１７、マント部１８及び頭部(支持部材)１９が係止される。
【００２６】
ここで、図２（ａ１）で示すように、ロック部１９ｆが回動する側の脚部１１の貫通孔２１縁部に規制突起１１ａを設けることができる。ロック機構作動時にこの規制突起１１ａを越えてロック部１９ｆを回動させることで、振動などに対してもロック部１９ｆのロックが外れる方向に回転することを規制することができる。更には、この規制突起１１ａを受容できる規制凹部（図示せず）をロック部１９ｆに設けることもでき、ロック部１９ｆの回動を完全に規制することができる。これらは、各部材の材質をある程度撓む材質とすることで可能となる。
【００２７】
図３(ａ)で示すように、本発明に係わる組み立て玩具の他の実施形態５０を示す斜視図、（ｂ）図３（ａ）の玩具５０を逆さまにした分解斜視図、（ｃ）図３（ｂ）の玩具５０の棒状体を含む部分の分解斜視図である。
【００２８】
本実施形態の組み立て玩具５０(本実施形態では人形)は、図１に示した玩具本体１０と似た構成であるが、支持部材を腰部に備えている。具体的には、複数の構成部材(頭部５１、眼部５２、鼻部５３、口部５４、舌部５５、顎部５６、袖部５７、腕部１８、シャツ部５９)及び腰部(支持部材)６０から構成されている。
【００２９】
構成部材(頭部５１、眼部５２、鼻部５３、口部５４、舌部５５、顎部５６、袖部５７、腕部１８、シャツ部５９)のそれぞれは、基本的には輪切りにしたような形態で分割されている。そして、各構成部材(頭部５１、眼部５２、鼻部５３、口部５４、舌部５５、顎部５６、袖部５７、腕部１８、シャツ部５９)にはそれぞれ、同形状の貫通孔が一直線に並ぶように設けられている。この貫通孔の形状は、図１の玩具本体１０と同様に、一般的に表現される鍵穴形状である。
【００３０】
本実施形態の組み立て玩具５０でも、図１に示した玩具本体１０と同様に、構成部材(頭部５１、眼部５２、鼻部５３、口部５４、舌部５５、顎部５６、袖部５７、腕部１８、シャツ部５９)の隣り合う構成部材同士で、互いに相対すべき位置で噛み合わせ可能の位置決め凹凸部を備えている。
【００３１】
腰部(支持部材)６０には、棒状体６０ｅが備えられ、棒状体６０ｅの先端にはロック部６０ｆが保持されている。ロック部６０ｆの棒状体６０ｅ軸方向断面は前述の貫通孔と同形状且つ挿通可能に設定されている。
【００３２】
このロック機構は図１に示した玩具本体１０に対して、支持部材が腰部(支持部材)６０で、玩具本体１０の脚部１１に代わって頭部５１となっている以外は、ほぼ同様の構成とロック機構を有するので、説明を流用する。
【００３３】
図３(ｃ)で示すように、貫通孔を備えていない補助構成部材を配置することも可能である。具体的には、補助構成部材として、脚部６１、足部６２、足裏部６３がこの順番で接続され、腰部６０に着脱可能に備えられる。また、ネクタイ６４がシャツ部５９に着脱可能に備えられる。
【００３４】
ここで、上述した２つの本実施形態に使用される材質としては、樹脂材料、木材など、若干の撓み性があるものが好ましい。
【００３５】
以上のように、本発明の上記実施形態によれば、各構成部材を重ねることでブロック的要素を備え、また、所定の順番と位置で重ねる必要があること、棒状体の軸中心の回動による各構成部材を係止するロック機構を有することにより、知育遊びの要素を備えているので、楽しく知育遊びができる。また、人気キャラクターや自動車、電車など、好奇心を持てる対象をこの組み立て玩具とすることが可能で、より楽しく知育遊びができる。また、ロック機構により、各部材が外れにくい状態とすることで、より安全な玩具とすることができる。
【００３６】
なお、本発明は上記実施形態に限定されるものではなく、本発明の目的を達成できる範囲での変形、改良などは本発明の含まれるものである。例えば、本実施形態は、人形の実施形態を示したが、これ以外にも自動車、電車などに適用することもできる。
【００３７】
また、貫通孔及びロック部の形状はロック部をずらして構成部材を係止できれば、どのような形状でもよい。また、本実施形態では、ロック部は、組み立て時に、玩具の最下部または、最上部にのみ配置されているが、構成部材の間に配置することや複数配置することも可能である。これにより、部分係止が可能となる。更に、支持部材についても、玩具の端部分の部材としたが、これも中間部分の構成部材に棒状体を保持させることもできる。この場合、少なくとも前後又は上下など２本の棒状体が必要となる。
【符号の説明】
【００３８】
１０  組み立て玩具本体
１１  脚部
１１ａ  規制突起
１２  腰部
１３  ベルト部
１４  腹部
１５  マーク表示部
１６  腕部
１７  肩部
１８  マント部
１９  頭（支持部材）
１９ｅ  棒状体
１９ｆ  ロック部
２０  胴体部分
２１〜２７  貫通孔
【図１】
2012147951.tif 000003
【図２】
2012147951.tif 000004
【図３】
2012147951.tif 000005
【手続補正書】
【提出日】平成24年4月2日(2012.4.2)
【手続補正１】
【補正対象書類名】特許請求の範囲
【補正対象項目名】全文
【補正方法】変更
【補正の内容】
【特許請求の範囲】
【請求項１】
一直線に配置可能な貫通孔がそれぞれに形成される複数の構成部材と、
前記貫通孔に挿通可能の棒状体を保持する支持部材と、を有し、
前記棒状体の軸中心の回動により前記各構成部材を係止するロック機構を有し、
前記ロック機構は、前記棒状体に設けられ前記貫通孔と同じ断面形状且つ挿通可能のロック部を有し、
前記ロック部は、前記棒状体の断面円形状から一箇所だけはみだした部分を有しており、
前記棒状体の回動により前記ロック部を前記貫通孔からずらすことで、前記支持部材と前記ロック部との間に予め決められた複数の前記構成部材を係止する組み立て玩具。
【請求項２】
請求項１において、
前記係止時に前記ロック部と接触する前記構成部材の貫通孔縁部に、前記ロック部のずらし位置を保持する規制突起が配置される組み立て玩具。
【請求項３】
請求項２において、
前記ロック部が前記規制突起を受容する規制凹部を備える組み立て玩具。
【請求項４】
請求項１乃至請求項３のいずれか一項において、
隣り合う前記構成部材が互いに相対すべき位置で噛み合わせ可能の位置決め凹凸部を備える組み立て玩具。
【請求項５】
請求項１乃至請求項４のいずれか一項において、
前記構成部材又は前記支持部材の少なくとも一方に、着脱可能に保持される補助構成部材を備える組み立て玩具。
【請求項６】
請求項１乃至請求項５のいずれか一項において、
前記構成部材及び支持部材が人形を構成しており、前記支持部材が頭部分であって、顔の構成に対応して分割可能である組み立て玩具。
【手続補正２】
【補正対象書類名】明細書
【補正対象項目名】０００６
【補正方法】変更
【補正の内容】
【０００６】
本発明の組み立て玩具は、一直線に配置可能な貫通孔がそれぞれに形成される複数の構成部材と、貫通孔に挿通可能の棒状体を保持する支持部材と、を有し、棒状体の軸中心の回動により各構成部材を係止するロック機構を有し、ロック機構は、棒状体に設けられ貫通孔と同じ断面形状且つ挿通可能のロック部を有し、ロック部は、棒状体の断面円形状から一箇所だけはみだした部分を有しており、棒状体の回動によりロック部を貫通孔からずらすことで、支持部材とロック部との間に予め決められた複数の構成部材を係止する構成である。
【手続補正３】
【補正対象書類名】明細書
【補正対象項目名】０００７
【補正方法】削除
【補正の内容】